(57)【要約】【課題】光ピックアップに備えられている光源の温度変化による記録品質の悪化を効果的に抑制することができる光ディスク記録装置を提供する。【解決手段】ビーム光を出射する光源と、前記光源の温度を検出する温度センサと、光ディスクに記録されているＭＩＤを読み出すＭＩＤ読出部と、前記ＭＩＤ読出部によって読み出された前記ＭＩＤと前記温度センサの出力から得られる温度情報とに対応する前記光源の最適記録パワーを決定する決定部（ステップＳ２０の実行部）とを備え、前記決定部によって決定された前記光源の最適記録パワーで前記光ディスクにデータを記録する光ディスク記録装置。【選択図】図３
2012108987.tif 000002
【特許請求の範囲】
【請求項１】
ビーム光を出射する光源と、
前記光源の温度を検出する温度センサと、
光ディスクに記録されているＭＩＤを読み出すＭＩＤ読出部と、
前記ＭＩＤ読出部によって読み出された前記ＭＩＤと前記温度センサの出力から得られる温度情報とに対応する前記光源の最適記録パワーを決定する決定部とを備え、
前記決定部によって決定された前記光源の最適記録パワーで前記光ディスクにデータを記録することを特徴とする光ディスク記録装置。
【請求項２】
前記ＭＩＤ毎に、前記光源の温度と前記光源の最適記録パワーとの関係を示すデータテーブルを予め記憶している記憶部を備え、
前記決定部が、前記データテーブルを参照して、前記ＭＩＤ読出部によって読み出された前記ＭＩＤと前記温度センサの出力から得られる温度情報とに対応する前記光源の最適記録パワーを決定することを特徴とする請求項１に記載の光ディスク記録装置。
【請求項３】
前記光ディスクに所定量のデータが記録される毎に、前記決定部による決定が更新されることを特徴とする請求項１または請求項２に記載の光ディスク記録装置。
【請求項４】
前記光ディスクにデータを記録する前の場合、前記決定部が、
前記ＭＩＤ読出部によって読み出された前記ＭＩＤと前記温度センサの出力から得られる温度情報とに対応する前記光源の最適記録パワーを決定するのではなく、
前記ＭＩＤ読出部によって読み出された前記ＭＩＤと予め設定された初期温度とに対応する前記光源の最適記録パワーを決定することを特徴とする請求項１〜３のいずれか１項に記載の光ディスク記録装置。
【発明の詳細な説明】
【技術分野】
【０００１】
本発明は、書き込み可能な光ディスクに情報の記録を行える光ディスク記録装置に関する。
【背景技術】
【０００２】
光ディスク記録装置は、光ディスクに光ビームを照射して情報の記録や情報の読み取りを可能とする光ピックアップを備える。光ピックアップには所定の波長のレーザ光を出射する光源が備えられているが、当該光源の温度が変化すると当該光源から出射されるレーザ光の波長も変化してしまう。具体的には、当該光源の温度が高くなると当該光源から出射されるレーザ光の波長が長くなってしまう。
【０００３】
一方、書き込み可能な光ディスクにおいては、光ピックアップに備えられている光源の記録パワーが標準温度での最適値に固定されている場合、光ピックアップにより照射されるレーザ光の波長が変化すると記録品質も変化してしまう。ここで、例として、製造元及び型式を識別するための情報であるＭＩＤ（Manufacturer's Identification）が同一である２枚の１６倍速記録対応ＤＶＤ−Ｒでの光源の記録パワーとＲＦ信号のＤＣジッタとの関係を図１に示す。図１中の各プロットマークにおいて、白丸は一方の光ディスクに標準波長（６５０ｎｍ）のレーザ光を出射した場合、白三角は他方の光ディスクに標準波長のレーザ光を出射した場合、黒丸は一方の光ディスクに標準波長より長い波長のレーザ光を出射した場合、黒三角は他方の光ディスクに標準波長より長い波長のレーザ光を出射した場合をそれぞれ示している。また、図１中の点線は標準波長のレーザ光で最良のＤＣジッタが得られる記録パワーを示しており、図１中の太点線は標準波長より長い波長のレーザ光で最良のＤＣジッタが得られる記録パワーを示している。
【０００４】
上記のような状況のため、従来の光ディスク記録装置を用いた光ディスクへの書き込みでは、光ピックアップに備えられている光源の温度が変化すると光ディスクの記録品質が悪化する現象が発生していた。
【先行技術文献】
【特許文献】
【０００５】
【特許文献１】特開２００４−８６９４０号公報（段落００５１〜００８２）
【特許文献２】特開２００４−８６９６０号公報（段落００１４）
【特許文献３】特開２０００−２２２７３２号公報（段落００１０）
【特許文献４】特開２００２−３２９３２０号公報（段落００１０）
【発明の概要】
【発明が解決しようとする課題】
【０００６】
そこで、特許文献１では、光ディスクの種類毎（例えばベンダ毎）に記憶されている記録ビームの波長と最適記録パワーとの関係を参照して、ＯＰＣ（Optimum Power Control）で決定した最適記録パワーを補正することで、光ピックアップに備えられている光源の温度変化による記録品質の悪化を抑制することができる情報記録装置が提案されている。
【０００７】
ところが、ＭＩＤが同じであれば、図１から明らかなように記録ビームの波長と最適記録パワーとの関係がほぼ同一になるのに対して、ＭＩＤが異なれば、記録特性が異なるため、光ディスクの種類やベンダが同じであっても、記録ビームの波長と最適記録パワーとの関係が異なることになる。
【０００８】
特許文献１で提案されている情報記録装置では、記録ビームの波長と最適記録パワーとの関係が光ディスクの種類毎（例えばベンダ毎）に記憶されているだけであるため、ＭＩＤ毎に異なっている記録ビームの波長と最適記録パワーとの関係に対応しきれておらず、光ピックアップに備えられている光源の温度変化による記録品質の悪化を効果的に抑制することができない。
【０００９】
同様に、特許文献２〜特許文献４で提案されている技術も、ＭＩＤ毎に異なっている記録ビームの波長と最適記録パワーとの関係に対応していない。
【００１０】
本発明は、上記の状況に鑑み、光ピックアップに備えられている光源の温度変化による記録品質の悪化を効果的に抑制することができる光ディスク記録装置を提供することを目的とする。
【課題を解決するための手段】
【００１１】
上記目的を達成するために本発明に係る光ディスク記録装置は、ビーム光を出射する光源と、前記光源の温度を検出する温度センサと、光ディスクに記録されているＭＩＤを読み出すＭＩＤ読出部と、前記ＭＩＤ読出部によって読み出された前記ＭＩＤと前記温度センサの出力から得られる温度情報とに対応する前記光源の最適記録パワーを決定する決定部とを備え、前記決定部によって決定された前記光源の最適記録パワーで前記光ディスクにデータを記録する構成とする。
【００１２】
このような構成によると、光源の温度に応じて、ＭＩＤ毎に最適記録パワーを設定することができるので、光源の温度変化による記録品質の悪化を効果的に抑制することができる。
【００１３】
また、前記ＭＩＤ毎に、前記光源の温度と前記光源の最適記録パワーとの関係を示すデータテーブルを予め記憶している記憶部を備え、前記決定部が、前記データテーブルを参照して、前記ＭＩＤ読出部によって読み出された前記ＭＩＤと前記温度センサの出力から得られる温度情報とに対応する前記光源の最適記録パワーを決定するようにしてもよい。これにより、前記決定部が、前記データテーブルを参照して、前記ＭＩＤ読出部によって読み出された前記ＭＩＤと前記温度センサの出力から得られる温度情報とに対応する前記光源の最適記録パワーを容易に決定することができる。
【００１４】
また、前記光ディスクに所定量のデータが記録される毎に、前記決定部による決定が更新されるようにしてもよい。これにより、前記光ディスクにデータを記録している最中に時間経過に伴って光源の温度が変化する場合にも適切に対応することができるので、光源の温度変化による記録品質の悪化をより一層効果的に抑制することができる。
【００１５】
また、前記光ディスクにデータを記録する前の場合、前記決定部が、前記ＭＩＤ読出部によって読み出された前記ＭＩＤと前記温度センサの出力から得られる温度情報とに対応する前記光源の最適記録パワーを決定するのではなく、前記ＭＩＤ読出部によって読み出された前記ＭＩＤと予め設定された初期温度とに対応する前記光源の最適記録パワーを決定するようにしてもよい。これにより、初回記録での記録品質の悪化をより確実に抑制することができる。
【発明の効果】
【００１６】
本発明に係る光ディスク記録装置によると、光源の温度に応じて、ＭＩＤ毎に最適記録パワーを設定することができるので、光源の温度変化による記録品質の悪化を効果的に抑制することができる。
【図面の簡単な説明】
【００１７】
【図１】記録パワーとＤＣジッタとの関係を示す図である。
【図２】本発明に係る光ディスク記録装置の一概略構成例を示す図である。
【図３】書き込みコマンド実行時における図２に示す光ディスク記録装置の動作例を示すフローチャートである。
【図４】図３に示すフローチャート動作で参照されるデータテーブルの内容を示す概念図である。
【図５】書き込みコマンド実行時における図２に示す光ディスク記録装置の他の動作例を示すフローチャートである。
【図６】図５に示すフローチャート動作で参照されるデータテーブルの内容を示す概念図である。
【発明を実施するための形態】
【００１８】
本発明の実施形態について図面を参照して以下に説明する。本発明に係る光ディスク記録装置の一概略構成例を図２に示す。
【００１９】
図２に示す光ディスク記録装置は、ＤＶＤ−Ｒ／ＲＷ、ＤＶＤ＋Ｒ／ＲＷ、ＤＶＤ−ＲＡＭ及びＢＤ−Ｒ／ＲＥといった書き込み可能な光ディスクＯＤに情報の書き込みを行うことができる装置であって、スピンドルモータ１と、スピンドルモータ駆動部２と、光ピックアップ３と、エンコーダ４と、レーザ駆動部５と、信号処理部６と、サーボ制御部７と、ドライバ８と、入力部９と、記憶部１０と、システムコントローラ１１とを備える。なお、図２に示す光ディスク記録装置は再生機能を有する構成とすることが望ましい。
【００２０】
スピンドルモータ１は、その出力軸がターンテーブル（不図示）に連結される。そして、そのターンテーブルは光ディスクＯＤを着脱可能に保持できるようになっている。これにより、スピンドルモータ１を回転することにより光ディスクＯＤが回転させることが可能となっている。
【００２１】
なお、スピンドルモータ１は、スピンドルモータ駆動部２に接続されている。スピンドルモータ１の駆動制御は、システムコントローラ１１の管理下において、スピンドルモータ駆動部２によって行われる。
【００２２】
光ピックアップ３は、所定の波長のレーザ光を出射する半導体レーザ光源（不図示）と、半導体レーザ光源から出射されたレーザ光を光ディスクＯＤの記録層に集光する対物レンズ（不図示）と、光ディスクＯＤで反射されたレーザ光を受光して光電変換を行うフォトディテクタ（不図示）と、サーミスタ等の温度センサ（不図示）とを備える。また、光ピックアップ３は、移動手段（不図示）によって、光ディスクＯＤの半径方向（図２の左右方向）に対して平行な方向に移動可能となっている。
【００２３】
スピンドルモータ１によって光ディスクＯＤを回転させて、光ピックアップ３の位置を適宜移動させることにより、光ピックアップ３から出射されるレーザ光のスポット位置を、光ディスクＯＤの記録可能領域の全域に移動できる。したがって、光ピックアップ３を用いて、光ディスクＯＤの記録可能領域の全てに情報を記録することが可能となる。
【００２４】
なお、上述のように、図２に示す光ディスク記録装置は、ＤＶＤ系とＢＤ系のディスクに対応している。このため、半導体レーザ光源から出射されるレーザ光の波長は、それらのディスクに対応する波長のレーザ光とする必要があり、半導体レーザ光源は２種類の波長（例えば４０５ｎｍと６５０ｎｍ）のレーザ光を切り替えて出射できるようになっている。
【００２５】
また、光ピックアップ３が備える対物レンズは、対物レンズアクチュエータ（不図示）によって、光軸方向に対して平行な方向（図２の上下方向）であるフォーカス方向と、光ディスクＯＤの半径方向に対して平行な方向（図２の左右方向）であるトラッキング方向とに移動可能となっている。これは、対物レンズの焦点位置が常に光ディスクＯＤの記録層に合うように制御するフォーカス制御と、対物レンズによって集光されたビームスポットの位置が常に光ディスクＯＤに形成されるトラックに追随するように制御するトラッキング制御とを行えるようにするためである。
【００２６】
また、光ピックアップ３を移動させる移動手段は、例えば、固定部分に配置されるスライドモータ（不図示）と、スライドモータの回転によって回転されるピニオン（不図示）と、光ピックアップ３本体に取り付けられるラック（不図示）とによって構成される。このような構成によると、ラックとピニオンの関係を利用して、光ピックアップ３の移動が実現される。
【００２７】
また、光ピックアップ３が備える温度センサは、光ピックアップ３が備える半導体レーザ光源の温度に応じた温度検出信号を生成してシステムコントローラ１１のＡ／Ｄ変換入力ポート（不図示）に送出する。
【００２８】
エンコーダ４は、システムコントローラ１１から供給された情報について、所定の方式で符号化処理を行い、その符号化された情報に基づいて記録パルスを作成し、その記録パルスをレーザ駆動部５に出力する。レーザ駆動部５は、エンコーダ４から出力される記録パルスにしたがって、光ピックアップ３の半導体レーザ光源を発振させる。また、レーザ駆動部５は、光ディスクＯＤの種類によって、光ピックアップ３の半導体レーザ光源から出射されるレーザ光の波長を切り替える機能も有する。
【００２９】
信号処理部６は、光ピックアップ３に備えられ複数の領域に分割されるフォトディテクタから出力される電気信号を演算処理し、フォーカスエラー信号、トラッキングエラー信号、及びウォブル信号を生成する。これらの信号は、サーボ制御部７に送られる。また、信号処理部６は、光ピックアップ３に備えられるフォトディテクタの各分割領域から出力される電気信号を総加算し、ＲＦ信号を生成してシステムコントローラ１１のＡ／Ｄ変換入力ポート（不図示）に送出する。
【００３０】
サーボ制御部７は、信号処理部６から送られてきたフォーカスエラー信号及びトラッキングエラー信号を用いて、ドライバ８を介してフォーカス制御及びトラッキング制御を行う。また、サーボ制御部７は、ドライバ８を介して、光ディスクＯＤの半径方向に対して平行な方向での光ピックアップ３の移動についても制御する。なお、サーボ制御部７は、ウォブル中にアドレス信号が含まれている場合には、アドレス生成を行う機能も有する。
【００３１】
ドライバ８は、サーボ制御部７からの指令にしたがって、上述の光ピックアップ３を移動させる移動手段と、対物レンズアクチュエータとを駆動させる回路である。
【００３２】
入力部９は、例えば、複数の入力ボタン（不図示）及び／又はリモートコントローラ送信機から送信されるリモートコントロール信号を受信する受信部（不図示）から成り、ユーザーからの指示内容を入力し、その指示内容をシステムコントローラ１１に送出する。
【００３３】
記憶部１０は、各種のプログラムやデータを記憶しており、システムコントローラ１１用の作業メモリや一時記憶メモリとしても機能する。
【００３４】
システムコントローラ１１は、図２に示す光ディスク記録装置を構成する各部が実行すべき所要の動作に応じて適宜制御処理を実行する。
【００３５】
次に、書き込みコマンド実行時における図２に示す光ディスク記録装置の動作例について、図３に示すフローチャートを参照して説明する。システムコントローラ１１が書き込みコマンドを受け付けると、図２に示す光ディスク記録装置は図３に示すフローチャートの動作を開始する。
【００３６】
まず、ステップＳ１０において、システムコントローラ１１が、光ピックアップ３に備えられている温度センサ（不図示）から送出される温度検出信号に基づいて、光ピックアップ３に備えられている半導体レーザ光源（不図示）の温度情報を取得する。
【００３７】
ステップＳ１０に続くステップＳ２０では、システムコントローラ１１が、図４に示すデータテーブルを参照して、光ディスクＯＤのＭＩＤとステップＳ１０で取得した光ピックアップ３に備えられている半導体レーザ光源（不図示）の温度情報とに対応する光ピックアップ３に備えられている半導体レーザ光源（不図示）の記録パワー（最適記録パワー）を決定する。
【００３８】
図４に示すデータテーブルは、ＭＩＤ毎に、光ピックアップ３に備えられている半導体レーザ光源（不図示）の温度と最適記録パワーとの関係を実測した結果をまとめたものであり、記憶部１０に予め記憶されている。図４に示すデータテーブルでは、主要なＭＩＤ（図４中の「ＣＯＤＥ１、ＣＯＤＥ２、・・・」）の光ディスクについては実測が行われ、主要でないＭＩＤ（図４中の「上記以外」）の光ディスクについては、主要なＭＩＤの光ディスクについての実測結果を平均した値を用いている。図２に示す光ディスク記録装置の個体ばらつきを考慮して、上記の実測は図２に示す光ディスク記録装置１台１台について行うことが望ましいが、図２に示す光ディスク記録装置の個体ばらつきが小さい場合には、同一の型番の装置については１台の装置の実測結果から得られるデータテーブルを共通して用いるようにしてもよい。なお、同一の型番の装置については１台の装置の実測結果から得られるデータテーブルを共通して用いる場合、図２に示す光ディスク記録装置がインターネットに接続可能な光ディスク記録装置であれば、新たに市場に出たＭＩＤの光ディスクに関するデータをインターネット経由で図２に示す光ディスク記録装置に送り、図２に示す光ディスク記録装置が図４に示すデータテーブルを更新することも可能になる。
【００３９】
また、光ディスクＯＤのＭＩＤは、光ディスクＯＤのローディング時に光ピックアップ３によって読み取られ、信号処理部６及びシステムコントローラ１１を経由して、記憶部１０に記憶されている。
【００４０】
ステップＳ２０に続くステップＳ３０では、図２に示す光ディスク記録装置が所定量のデータをステップＳ２０で決定した記録パワーで光ディスクＯＤに記録する。
【００４１】
ステップＳ３０に続くステップＳ４０では、全記録データの書き込むが終了したか否かをシステムコントローラ１１が判定する。全記録データの書き込むが終了していなければ（ステップＳ４０のＮＯ）、ステップＳ１０に戻る。一方、全記録データの書き込むが終了していれば（ステップＳ４０のＹＥＳ）、図３に示すフロー動作を終了する。
【００４２】
上記のような動作により、光ピックアップ３に備えられている半導体レーザ光源（不図示）の温度に応じて、ＭＩＤ毎に最適記録パワーを設定することができるので、光ピックアップ３に備えられている半導体レーザ光源（不図示）の温度変化による記録品質の悪化を効果的に抑制することができる。また、上記のような動作により、記録パワーを段階的に変化させて試し書きを行うＯＰＣ（Optimum Power Control）で最適記録パワーを決定する必要がなくなる。
【００４３】
なお、記録の倍速数が大きくなるほど、大きな記録パワーが必要となり、光ピックアップ３に備えられている半導体レーザ光源（不図示）の温度が高くなるので、当該光源から出射されるレーザ光の波長が長くなる。このため、記録の倍速数が大きい光ディスクに対して書き込みを行う場合に、本発明による記録品質の悪化抑制効果がより顕著になる。
【００４４】
次に、書き込みコマンド実行時における図２に示す光ディスク記録装置の動作例について、図５に示すフローチャートを参照して説明する。システムコントローラ１１が書き込みコマンドを受け付けると、図２に示す光ディスク記録装置は図５に示すフローチャートの動作を開始する。
【００４５】
まず、ステップＳ１において、システムコントローラ１１が、図６に示すデータテーブルを参照して、光ディスクＯＤのＭＩＤに対応する光ピックアップ３に備えられている半導体レーザ光源（不図示）の初期記録パワー（初期最適記録パワー）を決定する。
【００４６】
図６に示すデータテーブルは、ＭＩＤ毎に、光ピックアップ３に備えられている半導体レーザ光源（不図示）の温度と最適記録パワーとの関係を実測した結果をまとめたものであり、記憶部１０に予め記憶されている。図６中の「初期」は、光ピックアップ３に備えられている半導体レーザ光源（不図示）がオフ状態からオン状態に切り替わった直後の当該光源の温度であり、具体的な数値はＭＩＤ毎に異なっている。図６に示すデータテーブルでは、主要なＭＩＤ（図６中の「ＣＯＤＥ１、ＣＯＤＥ２、・・・」）の光ディスクについては実測が行われ、主要でないＭＩＤ（図６中の「上記以外」）の光ディスクについては、主要なＭＩＤの光ディスクについての実測結果を平均した値を用いている。図２に示す光ディスク記録装置の個体ばらつきを考慮して、上記の実測は図２に示す光ディスク記録装置１台１台について行うことが望ましいが、図２に示す光ディスク記録装置の個体ばらつきが小さい場合には、同一の型番の装置については１台の装置の実測結果から得られるデータテーブルを共通して用いるようにしてもよい。なお、同一の型番の装置については１台の装置の実測結果から得られるデータテーブルを共通して用いる場合、図２に示す光ディスク記録装置がインターネットに接続可能な光ディスク記録装置であれば、新たに市場に出たＭＩＤの光ディスクに関するデータをインターネット経由で図２に示す光ディスク記録装置に送り、図２に示す光ディスク記録装置が図６に示すデータテーブルを更新することも可能になる。
【００４７】
また、光ディスクＯＤのＭＩＤは、光ディスクＯＤのローディング時に光ピックアップ３によって読み取られ、信号処理部６及びシステムコントローラ１１を経由して、記憶部１０に記憶されている。
【００４８】
ステップＳ１に続くステップＳ２では、図２に示す光ディスク記録装置が所定量のデータをステップＳ１で決定した記録パワーで光ディスクＯＤに記録する。
【００４９】
ステップＳ２に続くステップＳ１０では、システムコントローラ１１が、光ピックアップ３に備えられている温度センサ（不図示）から送出される温度検出信号に基づいて、光ピックアップ３に備えられている半導体レーザ光源（不図示）の温度情報を取得する。
【００５０】
ステップＳ１０に続くステップＳ２０では、システムコントローラ１１が、図６に示すデータテーブルを参照して、光ディスクＯＤのＭＩＤとステップＳ１０で取得した光ピックアップ３に備えられている半導体レーザ光源（不図示）の温度情報とに対応する光ピックアップ３に備えられている半導体レーザ光源（不図示）の記録パワー（最適記録パワー）を決定する。
【００５１】
ステップＳ２０に続くステップＳ３０では、図２に示す光ディスク記録装置が所定量のデータをステップＳ２０で決定した記録パワーで光ディスクＯＤに記録する。
【００５２】
ステップＳ３０に続くステップＳ４０では、全記録データの書き込むが終了したか否かをシステムコントローラ１１が判定する。全記録データの書き込むが終了していなければ（ステップＳ４０のＮＯ）、ステップＳ１０に戻る。一方、全記録データの書き込むが終了していれば（ステップＳ４０のＹＥＳ）、図３に示すフロー動作を終了する。
【００５３】
上記のような動作により、図３に示すフロー動作の場合と同様の効果を得ることができる。
【００５４】
また、図３に示すフロー動作では、光ピックアップ３に備えられている半導体レーザ光源（不図示）がオフ状態であるときに、当該光源の温度情報の初回取得が実行されるため、所定量のデータの初回記録において、記録時の当該光源の温度と記録パワー決定時の当該光源の温度情報とのずれが大きかった。これに対して、図５に示すフロー動作では、所定量のデータの初回記録において、光ピックアップ３に備えられている半導体レーザ光源（不図示）がオフ状態からオン状態に切り替わった直後の当該光源の温度に対応した記録パワーが用いられるので、所定量のデータの初回記録での記録品質の悪化を図３に示すフロー動作よりも確実に抑制することができる。
【符号の説明】
【００５５】
１  スピンドルモータ
２  スピンドルモータ駆動部
３  光ピックアップ
４  エンコーダ
５  レーザ駆動部
６  信号処理部
７  サーボ制御部
８  ドライバ
９  入力部
１０  記憶部
１１  システムコントローラ
【図１】
2012108987.tif 000003
【図２】
2012108987.tif 000004
【図３】
2012108987.tif 000005
【図４】
2012108987.tif 000006
【図５】
2012108987.tif 000007
【図６】
2012108987.tif 000008